(57)【要約】【課題】折畳んだ状態においても、ボイスレコーダの機能の低下を極めて簡単な構造によりなくすようにした携帯電話機を提供する。【解決手段】下側筐体４のマイク音孔１に一端が連結され他端が当該筐体４の側面へ向いた凹状溝２を、下側筐体４の表面に形成することにより、上側筐体４と下側筐体６とが折畳まれた状態でも、この溝２によって、外部からの音がマイク音孔１へ導入されるので、折畳んだ状態でボイスレコーダ機能を使用しても、ボイスレコーダ機能の感度の低下はない。【選択図】      図１
2004343267.tif 000002
【特許請求の範囲】
【請求項１】
表示部を有する上側筐体と操作部を有する下側筐体とが互いに折畳み自在に結合された折畳み式携帯電話機であって、
前記下側筐体のマイク音孔が設けられた表面に、前記音孔に連結し前記下側筐体の側面へ向けて溝を形成したことを特徴とする携帯電話機。
【請求項２】
表示部を有する上側筐体と操作部を有する下側筐体とが互いに折畳み自在に結合された折畳み式携帯電話機であって、
前記上側筐体と下側筐体とが折畳まれた状態において、マイク音孔の上面に隙間を形成する部材を有することを特徴とする携帯電話機。
【請求項３】
前記部材は、前記下側筐体または上側筐体の表面に設けられた凸部であることを特徴とする請求項２記載の携帯電話機。
【請求項４】
前記凸部は、上側筐体と下側筐体とが折畳まれた状態において、前記マイク音孔を挟む位置に少なくとも２箇所に設けられていることを特徴とする請求項３記載の携帯電話機。
【請求項５】
前記マイク音孔を介して入力された音声を録音する録音手段を、更に有することを特徴とする請求項１〜４いずれか記載の携帯電話機。
【請求項６】
前記上側筐体と下側筐体とが折畳まれた状態において、前記録音手段を起動するようにしたことを特徴とする請求項５記載の携帯電話機。
【請求項７】
前記録音手段の起動時には、通話時に比較してマイク感度を大に制御することを特徴とする請求項５または６記載の携帯電話機。
【発明の詳細な説明】
【０００１】
【発明の属する技術分野】
本発明は携帯電話機に関し、特にボイスレコーダ（音声録音）機能付きの折畳み型携帯電話機に関するものである。
【０００２】
【従来の技術】
携帯電話機は、単なる通話手段のみならず、財布や入場パスの代わりとして使われることも可能であり、現代人の必需品となってきている。すなわち、いつでも身につけていることが前提の電子機器と考えられ、個人が記録として残せる機能に注目し写真や動画の機能など搭載されはじめてきた。
【０００３】
また、ボイスレコーダは、講演会、会議などのビジネスシーンや、更にはスポーツシーンで使用されることが多く、携帯電話機に、このようなボイスレコーダ機能を搭載すれば、特別にテープレコーダなどの機械を持ち運ぶことなく、講演記録、会議の議事録、その場の歓声や雰囲気の記録などの作成ツールとして、携帯電話機を有効に活用できる。
【０００４】
携帯電話機の最近の特徴として、表示部を有する上側筐体と操作部を有する下側筐体とが、ヒンジ部により互いに折畳み自在に結合された折畳み式のものが広く使用されているが、このような折畳み式携帯電話機のボイスレコーダ機能を、折畳んだ状態で使用する場合には、次のような問題が生じる。
【０００５】
すなわち、音声を導入するためのマイク音孔は、操作部のある下側筐体の操作面に設けられているので、折畳んだ状態では、マイク音孔は上側筐体により蓋をされた状態になって閉塞されることになる。よって、マイクの感度は著しく悪化して、ボイスレコーダの機能が果たせなくなるのである。
【０００６】
そこで、特許文献１を参照すると、マイクを取付けた筐体において、マイク前面に前気室を設け、この前気室の一端部分が筐体側面で開放となるよう構成した構造が開示されている。この構造によれば、マイク音孔が人の手で塞がれたとしても、前気室の開放となった部分から音声が導入されてマイク音孔へ入力されることになる。
【０００７】
【特許文献１】
特開２００１−２１１０８９号公報、第２頁、図１，２
【０００８】
【発明が解決しようとする課題】
上述した特許文献１の構造においては、筐体の折畳み機能や、ボイスレコーダ機能などについては、考慮されてはいないが、ボイスレコーダ機能を有する折畳み式携帯電話機にこの構造を適用すれば、折畳まれた状態でボイスレコーダ機能を動作させても、前述した如く、前気室の開放となった部分から音声が導入されてマイク音孔へ供給されるので、感度の低下はない。しかしながら、下側筐体に対して、一端が開放となった前気室を形成することは、その構造が複雑であるために、製造工程が多くなり、コスト的に得策ではないし、また前気室そのものが所定の容積を有しているので、小型化に逆行するという欠点がある。
【０００９】
本発明の目的は、折畳んだ状態においても、ボイスレコーダの機能の低下を極めて簡単な構造によりなくすようにした携帯電話機を提供することである。
【００１０】
【課題を解決するための手段】
本発明によれば、表示部を有する上側筐体と操作部を有する下側筐体とが互いに折畳み自在に結合された折畳み式携帯電話機であって、前記下側筐体のマイク音孔が設けられた表面に、前記音孔に連結し前記下側筐体の側面へ向けて溝を形成したことを特徴とする携帯電話機が得られる。
【００１１】
また、本発明によれば、表示部を有する上側筐体と操作部を有する下側筐体とが互いに折畳み自在に結合された折畳み式携帯電話機であって、前記上側筐体と下側筐体とが折畳まれた状態において、マイク音孔の上面に隙間を形成する部材を有することを特徴とする携帯電話機が得られる。
【００１２】
そして、前記部材は、前記下側筐体または上側筐体の表面に設けられた凸部であることを特徴とし、前記凸部は、折畳まれた状態で前記マイク音孔を挟む位置に少なくとも２箇所に設けられていることを特徴とする。また、前記マイク音孔を介して入力された音声を録音する録音手段を、更に有することを特徴とし、前記上側筐体と下側筐体とが折畳まれた状態において、前記録音手段を起動するようにしたことを特徴とする。そして、前記録音手段の起動時には、通話時に比較してマイク感度を大に制御することを特徴とする。
【００１３】
本発明の作用を述べる。下側筐体のマイク音孔に一端が連結され他端が当該筐体の側面へ向いた凹状溝を形成することにより、上側筐体と下側筐体とが折畳まれた状態でも、この溝によって外部からの音がマイク音孔へ導入されるので、ボイスレコーダの感度の低下はない。また、折畳まれた状態において、マイク音孔の上面に隙間を形成するように、下側筐体または上側筐体に、凸部を設けることにより、折畳まれた状態でも、この隙間によって外部からの音がマイク音孔へ導入されるので、ボイスレコーダの感度の低下はない。
【００１４】
【発明の実施の形態】
以下に図面を参照しつつ本発明の実施例につき説明する。図１は本発明の一実施例の外観斜視図である。図１において、４は操作部３を有する下側筐体であり、６は表示部５を有する上側筐体であり、これ等筐体は周知のヒンジ機構により互いに折畳み自在に連結されている。１は音声を集音するマイクの音孔であり、２はこのマイク音孔１につながる断面が半円形をした凹状溝であり、操作部３を有する下側筐体４の表面に彫り込まれている。
【００１５】
また、半円形の溝２は、図２のマイク音孔部１の周辺拡大図に示すように、下側筐体４の側面まで伸びている。すなわち、この溝２の一端はマイク音孔部１に連結しており、他端は筐体４の周縁部（側面）に至るよう構成されている。なお７はスピーカ、８はアンテナである。
【００１６】
図３は本発明の携帯電話機の概略機能ブロック図である。図３を参照すると、送話音声はマイク１６により電気信号に変換されて、送話増幅器１５においてアナログ／デジタル変換され，送信回路１１により信号圧縮処理されて無線部９へ送出される。そして、アンテナ８を介して、図示せぬ無線基地局と携帯電話機とが無線接続されるようになっている。
【００１７】
逆に、無線基地局からの受話音声は、アンテナ８、無線部９を介して受信回路１０へ供給され、高周波信号が復調されてデジタル信号となる。このデジタル信号は信号伸張により復号されて受話増幅器１７によりデジタル／アナログ変換され、さらに信号増幅されてレシーバ１８により音響変換される。
【００１８】
ユーザによる携帯電話機の操作入力は操作部１３により行われて、制御部１２により送信回路１１及び受信回路１０を制御する。また、制御部１２にはメモリ１４がバス接続されており、このメモリ１４には、電話番号などのユーザデータと共に、受話音声や送話音声などの音声データがデジタルデータとして蓄積される。音声増幅器１９は受信回路１０に接続されて、受話音声やメモリ１４に蓄積された音声データを拡声するためスピーカ２０に接続されている。
【００１９】
通話に関しての概略動作は上述のとおりであるので、ボイスレコーダとして動作するときの各部の働きについて、図３と図４を用いて説明する。図３において、音声はマイク１６により電気信号に変換され、送話増幅器１５により音声信号がアナログ／デジタル変換されて送信回路１１に送られる。送信回路１１では、デジタル信号の圧縮が行われる。
【００２０】
ここで、ユーザがボイスレコーダ（録音）機能を操作部１３により起動させると、送信回路１１のデジタル音声信号は、通常通話時よりも利得が大となるよう制御される。すなわち、マイク感度が通常の通話時に比較して大に制御される。よって、音声信号レベルが大きくなって制御部１２に送られてバス接続されているメモリ１４に蓄積されることになる。
【００２１】
録音機能を起動させるのは、操作部１３による操作のみならず、制御部１２に接続された折り畳み開閉検出手段を設けて、上側筐体と下側筐体の折り畳み状態が検出された時に、録音機能が起動するようにしても良く、その他、周囲の騒音レベルを検出し起動するようにしても良く、種々の方法が考えられる。
【００２２】
メモリ１４に蓄積されたデジタル音声信号の再生は、操作部１３による再生機能の起動に応答して行われ、これにより、メモリ１４のデジタル音声信号は制御部１２に送られて受信回路１０で信号伸張処理される。次に、この信号は音声増幅器１９に送られ、デジタル／アナログ変換されてアナログ信号の電力増幅が行われ、スピーカ２０に印加される。これにより、スピーカ２０によって録音された音声が聴取可能となる。
【００２３】
以上が本発明の携帯電話機をボイスレコーダとして使用する際の基本的動作である。次に、折畳み状態で使用する場合の動作説明をする。折畳んだ状態でも、回路動作は開いた状態と同じ動作をするので説明は省略する。ここでは、折畳まれた筐体のマイクの音響動作原理について説明する。
【００２４】
折畳んだ状態の外観斜視図を図４に示す。下側筐体４と上側筐体６とは、図４に示すように、マイク音孔１を塞ぐように上下に重なる。下側筐体４の側縁の一辺から、断面が半円形の溝２の一端が筐体外部に向かって露出している。筐体が折畳まれた状態で、音声の空気振動は携帯電話機の筐体に到達し、筐体の外に露出している溝２の空気を振動させる。この空気振動は溝２を伝わってマイク音孔１に達する。こうして、音声は筐体を開いた状態と同じ空気振動をマイクに与えることができる。
【００２５】
ただし、空気振動が筐体を開いたときと同じ振幅量になるには、溝２の幅はある程度大きいことが必要であり、例えば、溝２の幅を０．１ｍｍ、長さを７ｍｍとした場合では、筐体を開いた状態のマイク特性と比較すると、特性の相違が大きいことが分かった。この特性相違は上下筐体が重ねられて溝２により構成される音道の音響抵抗により発生するものである。このときの音道の等価回路を図５に示す。
【００２６】
図５は、溝２の幅を０．８４ｍｍとしたときのものであり、Ｌ＝２０ｕＨ、Ｃ＝６０ｕＦ、Ｒ１＝０．５Ω、Ｒ２＝１．５Ωと与えられる。Ｌは溝の長さにほぼ比例し、溝の幅の２乗に反比例する。Ｃは音孔内部の容積に比例する。Ｒ１はＣに反比例する。Ｒ２はマイクの振動板の音響抵抗で一定である。本実施例では、溝２の幅を０．８４ｍｍ長さを７ｍｍとしたが、これに限らず溝の幅と長さ、音孔の容積で与えられる等価回路の各定数から、本実施例に近い寸法変更であれば、前述の関係から所望の特性に合わせて任意の溝寸法が実施可能である。
【００２７】
ここで、筐体を開いた状態、閉じた状態で、マイク音孔１に図２で示した溝２が無い場合、溝２がある場合の各マイク周波数特性を、図６に示す。図６において、実線は筐体を開いた状態、太い点線は溝がなく筐体を閉じた状態、細い点線は溝を設けて筐体を閉じ状態の、それぞれのマイクの周波数特性を測定したものである。開いた状態のマイク特性は通常通話する特性であり、出力レベルが一番高い。音孔１に溝２を設けないで筐体を閉じると、通常通話時のマイク特性より３０ｄＢ程度低くなり、このままではマイクは使えない。
【００２８】
そこで、本発明のように、音孔１に溝２を設けた場合のマイク特性は、４ＫＨＺ程度までの音声帯域で、折畳みを開いた場合の特性とほぼ同等の特性となっている。
【００２９】
本発明の他の実施例を図７に示している。図７において図１と同等部分は同一符号により示している。図７において、１は音声を集音するマイクの音孔である。２１はこの音孔１を挟んで両側に配置された、断面が半円形をした凸部（突起）であり、操作部３の表面に形成されている。また、この突起２１は、図８のマイク音孔１の周辺部拡大図に示すように、操作部面３の一辺まで伸びている。
【００３０】
下側筐体４及び上側筐体６は、折畳んだ状態では、図９に示すように、マイク音孔１を塞ぐように上下に重なる。このとき、筐体には突起２１により隙間２２が形成される。筐体が折り畳まれた状態では、音声の空気振動は携帯電話機の筐体に到達し、筐体の隙間２２の空気を振動させる。この空気振動は隙間２２を伝わり音孔１に達する。こうして、音声は筐体を開いた状態と同じ空気振動をマイクに与えることができる。
【００３１】
ただし、空気振動が筐体を開いたときと同じになるには、隙間２２の幅はある程度大きいことが必要であり、本実施例の場合、０．３ｍｍとした。本実施例の場合、突起２１は音孔１を挟む直線に２つ設けているが、デザインの都合で形状や個数も変えてよく、凸状のものなどであれば良いも。また、下側筐体４に突起を設けているが、上側筐体に設けても良いことは明白である。
【００３２】
ここで、筐体を開いた状態、閉じた状態で、マイク音孔１に図７で示す突起２１がある場合のマイク周波数特性を図１０に示す。図１０において，実線は筐体を開いた状態、点線は筐体を閉じた状態での、それぞれのマイクの周波数特性を測定したものである。開いた状態のマイク特性は通常通話する特性であり、出力レベルが一番高い。突起２１を設けた本実施例でのマイク特性は通常通話する特性と４ＫＨＺ程度の音声帯域でほぼ同等の特性となっている。
【００３３】
【発明の効果】
以上説明したように、本発明によれば、極めて簡単な構造により、筐体を折り畳んだ状態でも録音音声が小さくならないようにすることが可能となり、よってボイスレコーダ機能を実現させるためにマイクを別に設ける必要がなく、また回路も簡単に構成することができるという効果がある。その結果、安価にボイスレコーダ機能を実現できるという効果が生ずる。
【００３４】
また、携帯電話を開いた状態でボイスレコーダ機能を使用する必要がないので、録音していることを話し相手の心理的負担にせずに済む効果も期待出来、よってインタビューなどもスムースに行えることになる。
【００３５】
更にはまた、折り畳んだ状態で、胸ポケットに入れておば、その状態でもボイスレコーダとして使えるために、屋外や室内においても携帯電話機を手に持つ必要が無く、より自由に講演会やスポーツシーンなどの周囲の盛り上がりなど記録しておくことができるという効果もある。
【図面の簡単な説明】
【図１】本発明の一実施例において筐体を開いた状態の外観斜視図である。
【図２】図１の一部拡大図である。
【図３】本発明の実施例の概略機能ブロック図である。
【図４】本発明の一実施例において筐体を閉じた状態の外観斜視図である。
【図５】本発明の一実施例における溝の音道等価回路を示す図である。
【図６】本発明の一実施例におけるマイク周波数特性を、従来例との比較において示す図である。
【図７】本発明の他の実施例において筐体を開いた状態の外観斜視図である。
【図８】図７の一部拡大図である。
【図９】本発明の他の実施例において筐体を閉じた状態の外観斜視図である。
【図１０】本発明の他の実施例におけるマイク周波数特性を、従来例との比較において示す図である。
【符号の説明】
１  マイク音孔
２  溝
３  操作部
４  下側筐体
５  表示部
６  上側筐体
７  スピーカ
８  アンテナ
２１  突起
２２  隙間
【図１】
2004343267.tif 000003
【図２】
2004343267.tif 000004
【図３】
2004343267.tif 000005
【図４】
2004343267.tif 000006
【図５】
2004343267.tif 000007
【図６】
2004343267.tif 000008
【図７】
2004343267.tif 000009
【図８】
2004343267.tif 000010
【図９】
2004343267.tif 000011
【図１０】
2004343267.tif 000012